(57)【要約】【課題】表示装置の意匠部から輝度の高い光を出射することができる表示装置を提供する。【解決手段】表示装置１は、透光性を有し、かつ、表面１０ａに凹部１２０を有する本体１０と、凹部１２０に向けて光を出射する光源２０と、本体１０の裏面１０ｂに形成され、光源２０から本体１０の内部に導光される光を反射する第１反射部３１とを備える。そして、凹部１２０は、導光する光を反射する傾斜面１２２と、模様を示す意匠部１１０とを有する。【選択図】図３
2020060614.tif 000002
【特許請求の範囲】
【請求項１】
透光性を有し、かつ、表面に凹部を有する本体と、
前記凹部に向けて光を出射する光源と、
前記本体の裏面に形成され、前記光源から前記本体の内部に導光される光を反射する第１反射部とを備え、
前記凹部は、導光する光を反射する傾斜面と、模様を示す意匠部とを有する
表示装置。
【請求項２】
前記第１反射部は、光反射塗装剤、又は、光反射シートである
請求項１に記載の表示装置。
【請求項３】
前記傾斜面には、凹状又は凸状のドットが施されている
請求項１又は２に記載の表示装置。
【請求項４】
前記凹部を挟むように、前記凹部に向けて光を出射する一対の前記光源からなる光源対が配置される
請求項１〜３のいずれか１項に記載の表示装置。
【請求項５】
前記光源対は、複数配置され、
当該表示装置は、さらに、隣り合う２つの前記光源対の間に光を反射する第２反射部を備える
請求項４に記載の表示装置。
【請求項６】
前記第２反射部の高さ方向の幅は、前記光源対の高さ方向の幅よりも大きい
請求項５に記載の表示装置。
【請求項７】
前記第２反射部は、前記本体に形成された溝部に配置された金属材料、又は、光反射塗装剤を有する
請求項５又は６に記載の表示装置。
【請求項８】
前記本体の前記表面に積層され、前記意匠部が形成された部分以外の光を遮光する遮光部を備え、
前記意匠部からは、前記本体を導光した光が出射する
請求項１〜７のいずれか１項に記載の表示装置。
【請求項９】
前記光源は、前記光源が出射する光の光軸と前記傾斜面とが交差する姿勢で配置される
請求項１〜８のいずれか１項に記載の表示装置。
【請求項１０】
前記光源は、前記本体の内部に配置される
請求項１〜９のいずれか１項に記載の表示装置。
【発明の詳細な説明】
【技術分野】
【０００１】
本開示は、表示装置に関する。
【背景技術】
【０００２】
特許文献１では、複数のプリズム状凹凸を有する光路制御層と、光路制御層の側面に配置した照明装置とを有する液晶表示装置が開示されている。
【先行技術文献】
【特許文献】
【０００３】
【特許文献１】特開２００３−６６４４４号公報
【発明の概要】
【発明が解決しようとする課題】
【０００４】
従来の液晶表示装置では、光路制御層を導光する光は、複数のプリズム状凹凸で反射して光路制御層から出射する。しかし、従来の液晶表示装置を表示装置に適用した場合、表示装置の形状によっては、表示装置の意匠部から十分な輝度の光を出射し難くなる。
【０００５】
そこで、本開示は、表示装置の意匠部から輝度の高い光を出射することができる表示装置を提供することを目的とする。
【課題を解決するための手段】
【０００６】
本開示の一態様に係る表示装置は、透光性を有し、かつ、表面に凹部を有する本体と、前記凹部に向けて光を出射する光源と、前記本体の裏面に形成され、前記光源から前記本体の内部に導光される光を反射する第１反射部とを備え、前記凹部は、導光する光を反射する傾斜面と、模様を示す意匠部とを有する。
【発明の効果】
【０００７】
本開示では、表示装置の意匠部から輝度の高い光を出射することができる。
【図面の簡単な説明】
【０００８】
【図１】図１は、実施の形態に係る表示装置を備えた収納ボックスを例示した斜視図である。
【図２】図２は、実施の形態に係る表示装置を例示した斜視図である。
【図３】図３は、図２のＩＩＩ−ＩＩＩ線における表示装置の断面を例示した断面図である。
【図４】図４は、実施の形態に係る表示装置を例示したブロック図である。
【図５】図５は、実施の形態に係る表示装置の凹部を例示した部分拡大斜視図である。
【図６】図６は、図５のＶＩ−ＶＩ線における表示装置の断面を例示した断面図である。
【図７】図７は、実施の形態に係る表示装置の凹部の点灯時と消灯時とを例示した平面図である。
【図８】図８は、実施の形態の変形例１に係る表示装置を例示した斜視図である。
【図９】図９は、実施の形態の変形例１に係る表示装置の凹部を例示した部分拡大斜視図である。
【図１０Ａ】図１０Ａは、実施の形態の変形例２に係る表示装置の凹状のドットを例示した部分拡大斜視図である。
【図１０Ｂ】図１０Ｂは、実施の形態の変形例２に係る表示装置の凸状のドットを例示した部分拡大斜視図である。
【発明を実施するための形態】
【０００９】
本開示の一態様に係る表示装置は、透光性を有し、かつ、表面に凹部を有する本体と、前記凹部に向けて光を出射する光源と、前記本体の裏面に形成され、前記光源から前記本体の内部に導光される光を反射する第１反射部とを備え、前記凹部は、導光する光を反射する傾斜面と、模様を示す意匠部とを有する。
【００１０】
このように、例えば、光源から出射した光は、本体を導光し、凹部の傾斜面で反射する。傾斜面で反射した光は、第１反射部に向かい、第１反射部で反射する。第１反射部で反射した光は、意匠部に向かう。このように、光源を発した光が意匠部に集まるため、意匠部から光を出射することができる。これにより、凹部に形成された意匠部から光を出射させる構成であっても、十分な輝度の光を確保することができる。
【００１１】
したがって、表示装置の意匠部から輝度の高い光を出射することができる。その結果、光で表示させる意匠部の表示品位を向上させることができる。
【００１２】
本開示の一態様に係る表示装置において、前記第１反射部は、光反射塗装剤、又は、光反射シートである。
【００１３】
このように、第１反射部は、導光する光を確実に反射することができる。
【００１４】
本開示の一態様に係る表示装置において、前記傾斜面には、凹状又は凸状のドットが施されている。
【００１５】
このように、ドットは、第１反射部に向けて光を反射することができるため、第１反射部で反射した光は意匠部に向かう。これにより、意匠部からはより輝度の高い光が出射される。
【００１６】
本開示の一態様に係る表示装置は、前記凹部を挟むように、前記凹部に向けて光を出射する一対の前記光源からなる光源対が配置される。
【００１７】
このように、凹部の両側から光が入射するため、意匠部からは輝度斑が抑制された光が出射される。
【００１８】
本開示の一態様に係る表示装置において、前記光源対は、複数配置され、当該表示装置は、さらに、隣り合う２つの前記光源対の間に光を反射する第２反射部を備える。
【００１９】
このように、２つの光源対のうちの、一方側の光源対と他方側の光源対との間に、第２反射部が配置されるため、一方側の光源対が発する光が出射する意匠部のうちの第１の領域と、他方側の光源対が発する光が出射する意匠部のうちの第２の領域とを照らし分けすることができる。
【００２０】
例えば、一方側の光源対だけを点灯させた場合、第１の領域から光が出射され、第２の領域から光が出射されることを抑制することができる。また、他方側の光源対だけを点灯させた場合、第２の領域から光が出射され、第１の領域から光が出射されることを抑制することができる。このため、ユーザは、選択した凹部に示される意匠部の模様を、認識し易くなる。
【００２１】
本開示の一態様に係る表示装置において、前記第２反射部の高さ方向の幅は、前記光源対の高さ方向の幅よりも大きい。
【００２２】
このため、一方側の光源対が発する光が出射する意匠部のうちの第１の領域と、他方側の光源対が発する光が出射する意匠部のうちの第２の領域とを、より確実に照らし分けすることができる。
【００２３】
本開示の一態様に係る表示装置において、前記第２反射部は、前記本体に形成された溝部に配置された金属材料、又は、光反射塗装剤を有する。
【００２４】
このように、溝部には第２反射部が配置されているため、光源が発する光を反射することができる。
【００２５】
本開示の一態様に係る表示装置は、前記本体の前記表面に積層され、前記意匠部が形成された部分以外の光を遮光する遮光部を備え、前記意匠部からは、前記本体を導光した光が出射する。
【００２６】
このように、遮光部が光の出射を抑制するため、所望の場所以外の場所からの光漏れを抑制することができ、かつ、所望の場所つまり意匠部から光を出射させることができる。
【００２７】
本開示の一態様に係る表示装置において、前記光源は、前記光源が出射する光の光軸と前記傾斜面とが交差する姿勢で配置される。
【００２８】
このように、光源が傾斜面に向けて光を出射するため、傾斜面で反射した光が第１反射部で反射されて意匠部に向かい易くなる。つまり、傾斜面にドットが形成されていない場合に比べて、傾斜面のドットは、光源側に向けて反射させる光の量を減らすことができる。このため、迷光、又は、吸収される光の量を減らすことで、意匠部から出射する光の光量が低減することを抑制できる。
【００２９】
本開示の一態様に係る表示装置において、前記光源は、前記本体の内部に配置される。
【００３０】
例えば本体の側面に光源を配置したり本体の裏面側に配置したりする場合では表示装置が大型化してしまう。しかし、このように、光源を本体の内部に収容することができるため、表示装置の大型化を抑制することができる。
【００３１】
以下、実施の形態について、図面を参照しながら具体的に説明する。なお、以下で説明する実施の形態は、いずれも本開示の一具体例を示すものである。以下の実施の形態で示される数値、形状、材料、構成要素、構成要素の配置位置及び接続形態などは、一例であり、本開示を限定する主旨ではない。また、以下の実施の形態における構成要素のうち、最上位概念を示す独立請求項に記載されていない構成要素については、任意の構成要素として説明される。
【００３２】
また、各図は、模式図であり、必ずしも厳密に図示されたものではない。また、各図において、実質的に同一の構成に対しては同一の符号を付しており、重複する説明は省略又は簡略化する。
【００３３】
また、以下の説明において、「表面」とは、車室から表示装置を視認することができる側（Ｘ軸方向のプラス側であり、以下、Ｘ軸プラス方向と呼ぶ）の面であり、「裏面」とはその反対方向側（Ｘ軸方向のマイナス側であり、以下、Ｘ軸マイナス方向と呼ぶ）の面である。また、Ｘ軸方向と交差し、かつ、表示装置の長さ方向をＹ軸方向と規定する。そして、Ｘ軸方向及びＹ軸方向と交差する方向をＺ軸方向と規定する。
【００３４】
以下、本開示の実施の形態に係る表示装置について説明する。
【００３５】
（実施の形態）
［構成］
図１は、実施の形態に係る表示装置１を備えた収納ボックス１００を例示した斜視図である。図１では車両の車室内の様子を例示している。
【００３６】
図１に示すように、車両の車室には、収納ボックス１００が配置される。収納ボックス１００は、眼鏡、財布等を収納することができる。なお、収納ボックス１００は、車両に限定されず、航空機、住宅等の施設等でもよく、配置場所は特に限定されない。
【００３７】
収納ボックス１００は、表示装置１を備える。
【００３８】
表示装置１は、例えば、収納ボックス１００及び天井窓（例えばサンルーフ）の開閉を操作したり、車室内の照明装置を点灯させたりする等の機能を有する。表示装置１は、収納ボックス１００の蓋としての役割を担っている。表示装置１には、このような機能を実行するための複数の操作部３を有する。操作部３は、後述する本体１０の凹部１２０に対応する部分である。ユーザは、操作部３をタッチすることで表示装置１の機能を発揮させることができる。
【００３９】
表示装置１については図２〜図４を用いて説明する。図２は、実施の形態に係る表示装置１を例示した斜視図である。図３は、図２のＩＩＩ−ＩＩＩ線における表示装置１の断面を例示した断面図である。図４は、実施の形態に係る表示装置１を例示したブロック図である。
【００４０】
図２に示すように、表示装置１は、平板状のパネルである。表示装置１は、上述の収納ボックス１００の開閉操作等を行うための模様（後述する図３の意匠部１１０）が表示される。図２では模様を省略している。模様については特に限定されず如何様であってもよい。
【００４１】
図２〜図４に示すように、表示装置１は、本体１０と、複数の光源２０と、第１反射部３１と、図５の第２反射部３２と、制御回路４０と、タッチセンサ５０とを備える。なお、制御回路４０は、本体１０に内蔵されていてもよいし、本体１０の外部に設ける構成であってもよい。
【００４２】
図３及び図４に示すように、本体１０は、透光性を有する。本体１０は、光源２０が出射した光が導光する導光体である。本体１０では、制御回路４０に実装されている光源２０から発光された光が導光し、導光した光が意匠部１１０から出射する。本体１０は、透明な材料により構成されており、例えば、アクリル、ポリカーボネート等の樹脂部材である。
【００４３】
また、本体１０は、表面１０ａに複数の凹部１２０を有する。凹部１２０は、ユーザが表示装置１を操作する際に、ユーザの指を案内するためのガイドである。本体１０の凹部１２０の表面１０ａには、第３反射部１１３が積層されている。凹部１２０は、底面１２１と、傾斜面１２２とを有する。
【００４４】
底面１２１には、模様を示す意匠部１１０が積層される。意匠部１１０は、操作を行うユーザに対して、表示装置１の機能を表示した模様である。意匠部１１０は、表示装置１の表面を視た場合において、光源２０の消灯時には意匠部１１０の模様を認識することができない又は認識し難い態様であり、光源２０の点灯時には意匠部１１０の模様を認識することができる態様である。模様は、どのような模様であってもよいが、本実施の形態では、表示装置１が備える機能を示す。
【００４５】
意匠部１１０は、表示装置１から光が出射する部分である。意匠部１１０は、加飾部１１１ａと、薄肉部１１１ｂとを有する。加飾部１１１ａは、凹部１２０の底面１２１に積層された、透光性のフィルム又はシート状の層である。薄肉部１１１ｂは、加飾部１１１ａの上面（Ｘ軸プラス方向側の面）に積層された第３反射部１１３の一部である。薄肉部１１１ｂでは、第３反射部１１３が他の部分よりも薄肉に積層されている。具体的には、意匠部１１０の模様に応じた加飾部１１１ａを本体１０の表面１０ａに積層し、さらにその上に第３反射部１１３が積層される。このため、表示装置１の操作部３（本体１０の凹部１２０に対応する部分）の表面は面一となるが、加飾部１１１ａの上面の部分（薄肉部１１１ｂ）で薄肉となる。これにより薄肉部１１１ｂでは、光が透光する。
【００４６】
なお、別の例としては、意匠部１１０には、本体１０の一部（突出部）が形成されていてもよい。つまり、加飾部１１１ａの代わりに本体１０の一部が形成されていてもよい。さらに別の例として、意匠部１１０は、第３反射部１１３が積層されていない部分、つまり、本体１０の表面１０ａが露出した部分であり、本体１０を導光する光が通過する空間であってもよい。このように、意匠部１１０が示す模様を浮かび上がらせるための光を出射することができればよい。
【００４７】
図３に示すように、第３反射部１１３は、本体１０を導光する光を第１反射部３１に向けて反射する。本実施の形態では、第３反射部１１３は、本体１０の表面１０ａに積層されている。第３反射部１１３は、光反射機能を有する光反射塗装剤、光反射シート等である。第３反射部１１３は遮光部の一例である。なお、第３反射部１１３の代わりに光吸収材料であってもよい。
【００４８】
傾斜面１２２は、凹部１２０を表面１０ａから視た場合に、底面１２１の周囲を囲む本体１０の一部分である。凹部１２０を断面視した場合、傾斜面１２２は、凹部１２０のＸ軸プラス方向からＸ軸マイナス方向に向かって狭まるように傾斜する。傾斜面１２２は、光源２０が発した光が入射し、かつ、入射した光を反射する。傾斜面１２２では、光が全反射することが好ましい。傾斜面１２２を反射した光は、第１反射部３１に向かう。
【００４９】
複数の光源２０は、凹部１２０に向けて光を出射する。具体的には、複数の光源２０は、リフレクタ２２で固定された状態、例えば図３ではＹ軸方向に光を出射する姿勢で、制御回路４０に実装される。より具体的には、光源２０は、出射する光の光軸方向、つまり、Ｙ軸方向と傾斜面１２２とが交差する姿勢で本体１０に配置される。
【００５０】
また、複数の光源２０は、凹部１２０を挟むように、凹部１２０に向けて光を出射する。つまり、複数の光源２０の内の一対の光源２０は、凹部１２０の一方側（例えばＹ軸プラス方向側）に配置された光源２０と、凹部１２０の他方側（例えばＹ軸マイナス方向側）に配置された光源２０とからなる。つまり、一対の光源２０（以下、光源対２０ｔと呼ぶ場合がある。）は、一方側に配置された光源２０と凹部１２０の他方側に配置された光源２０とが凹部１２０を挟んで対向する。本実施の形態の図３では、一対の光源２０がＹ軸方向に並んでいる場合を例示する。
【００５１】
複数の光源２０のそれぞれは、例えば、ＬＥＤ（Ｌｉｇｈｔ  Ｅｍｉｔｔｉｎｇ  Ｄｉｏｄｅ）により構成される。複数の光源２０のそれぞれは、白色光、青色光、赤色光、緑色光等の光を出射することができる。なお、複数の光源２０のそれぞれは、ＬＥＤ以外の発光素子により構成されてもよく、例えば、有機ＥＬ（Ｅｌｅｃｔｒｏ  Ｌｕｍｉｎａｎｃｅ）電球等により構成されていてもよい。
【００５２】
なお、複数の光源２０のそれぞれは、互いに同じ種類の光源、例えば、互いに同じ種類の発光素子（例えばＬＥＤ）により構成されてもよい。また、この場合の同じ種類の発光素子とは、発光条件（例えば、付与される電流又は電力の大きさ）が同じ場合に、同じ輝度で発光する発光素子である。
【００５３】
第１反射部３１は、本体１０の裏面１０ｂに積層され、第２反射部３２、意匠部１１０等に向けて、本体１０を導光する光を反射する。第１反射部３１は、複数の光源２０等を実装し、図示しない導電パターンを有する回路基板としての役割を担う。第１反射部３１は、光反射塗装剤、光反射シート等である。なお、本体１０の裏面１０ｂには第１反射部１０ｂが積層されているが、本体１０の裏面１０ｂが光反射機能を有する第１反射部であってもよい。
【００５４】
第２反射部３２は、図５及び図６を用いて説明する。
【００５５】
図５は、実施の形態に係る表示装置１の凹部１２０を例示した部分拡大斜視図である。図６は、図５のＶＩ−ＶＩ線における表示装置１の断面を例示した断面図である。
【００５６】
第２反射部３２は、本体１０に形成された溝部１０ｃに配置された金属材料、又は、光反射塗装材である。第２反射部３２としての光反射塗装材は、具体的には、例えば、ポリカーボネート及びポリエチレンテレフタレート等のフィルムの表面に、白色、銀色などの光反射塗料を形成して構成されてもよい。あるいは、溝部１０ｃに光反射塗装材としての光反射塗料を充填することで第２反射部３２が構成されてもよい。第２反射部３２には、制御回路４０が積層される。なお、図６で示すように、第２反射部３２と第３反射部１１３との間には、本体１０が存在しているが、本体１０が無くてもよい。また、第２反射部３２の高さ方向の幅（Ｘ軸方向の厚み）は、光源２０の高さ方向の幅（Ｘ軸方向の幅）よりも大きい。第２反射部３２の厚み（Ｚ軸方向の厚み）は、数ｍｍ以下である。
【００５７】
図４に示すように、制御回路４０は、光源２０の動作を制御する。制御回路４０は、タッチセンサ５０が検出している位置に対応する意匠部１１０の位置に応じた機能を発揮する。例えば、制御回路４０は、タッチセンサ５０が、意匠部１１０に対応する位置を検出している時に、操作部３がタッチされれば、タッチされた操作部３に対応する意匠部１１０が示す模様に応じたコマンドの入力を受け付ける。
【００５８】
また、制御回路４０は、表示装置１、天井窓、照明装置等を複数の動作モードで動作させる。例えば、制御回路４０は、収納ボックス１００を開閉する動作モード、天井窓を開閉する動作モード、車室内の照明装置を点灯又は消灯する動作モード等を有する。つまり、制御回路４０は、意匠部１１０が示す模様に応じて、表示装置１、天井窓、照明装置等を動作させる。なお、制御回路４０は、第１反射部３１と一体的に形成されていてもよい。
【００５９】
タッチセンサ５０は、例えば本体１０の表面１０ａ側又は裏面１０ｂ側に配置され、ユーザによってタッチされた位置であるタッチ位置を検出する。タッチセンサ５０は、例えば静電容量式、電磁誘導式等のセンサである。
【００６０】
［動作］
図３に示すように、このような表示装置１では、例えば、光源２０が発する光は、本体１０を導光し、凹部１２０の傾斜面１２２に入射する。傾斜面１２２に入射した光は、傾斜面１２２で反射し、第１反射部３１に向かう。第１反射部３１に入射した光は、第１反射部３１で反射し、意匠部１１０に向かう。意匠部１１０に入射した光のうち、一部の光は意匠部１１０から出射し、他の一部の光は第３反射部１１３で反射して第１反射部３１に入射する。このように、本体１０の内部で反射を繰り返しながら意匠部１１０から光が出射する。
【００６１】
点灯時及び消灯時の様子を図７に例示する。図７は、実施の形態に係る表示装置１の凹部１２０の点灯時と消灯時とを例示した平面図である。
【００６２】
図７に示すように、光源２０が点灯時では、意匠部１１０では、加飾部１１１ａ及び薄肉部１１１ｂをこの順で光が透過し出射する。これにより、ユーザは、点灯時に浮かび上がる意匠部１１０の模様を認識することができる。また、消灯時では、表示装置１の操作部３の表面は面一であるため、ユーザは、意匠部１１０の模様を視認できない又は視認し難い。
【００６３】
［作用効果］
次に、本実施の形態における表示装置１の作用効果について説明する。
【００６４】
本実施の形態に係る表示装置１は、透光性を有し、かつ、表面１０ａに凹部１２０を有する本体１０と、凹部１２０に向けて光を出射する光源２０と、本体１０の裏面１０ｂに積層され、光源２０から本体１０の内部に導光される光を反射する第１反射部３１とを備える。そして、凹部１２０は、導光する光を反射する傾斜面１２２と、模様を示す意匠部１１０とを有する。また、光源２０は、光源２０が出射する光の光軸Ｊと傾斜面１２２とが交差する姿勢で配置される。
【００６５】
このため、傾斜面１２２で反射した光が第１反射部３１で反射されて意匠部１１０に向かい易くなる。光源２０が発した光を意匠部１１０に集めることができる。これにより、凹部１２０に形成された意匠部１１０から光を出射させる構成であっても、十分な輝度の光を確保することができる。
【００６６】
したがって、表示装置１の意匠部１１０から輝度の高い光を出射することができる。その結果、光で表示させる意匠部１１０の表示品位を向上させることができる。
【００６７】
また、本実施の形態に係る表示装置１では、凹部１２０を挟むように、凹部１２０に向けて光を出射する一対の光源２０からなる光源対２０ｔが配置される。このため、凹部１２０の両側から光が入射するため、意匠部１１０からは輝度斑が抑制された光が出射される。
【００６８】
また、本実施の形態に係る表示装置１は、さらに、隣り合う２つの光源対２０ｔの間に光を反射する第２反射部３２を備える。これにより、２つの光源対２０ｔのうちの、一方側の光源対２０ｔと他方側の光源対２０ｔとの間に、第２反射部３２が配置されるため、一方側の光源対２０ｔが発する光が出射する意匠部１１０のうちの第１の領域Ｒ１と、他方側の光源対２０ｔが発する光が出射する意匠部１１０のうちの第２の領域Ｒ２とを照らし分けすることができる。
【００６９】
例えば、一方側の光源対２０ｔだけを点灯させた場合、第１の領域Ｒ１から光が出射され、第２の領域Ｒ２から光が出射されることを抑制することができる。また、他方側の光源対２０ｔだけを点灯させた場合、第２の領域Ｒ２から光が出射され、第１の領域Ｒ１から光が出射されることを抑制することができる。このため、ユーザが選択した凹部１２０における、表示装置１の意匠部１１０の模様を認識し易くなる。
【００７０】
また、本実施の形態に係る表示装置１は、本体１０の表面１０ａに積層され、意匠部１１０が形成された部分以外の光を遮光する第３反射部１１３を備える。意匠部からは、本体を導光した光が出射する。これにより、遮光部が光の出射を抑制するため、所望の場所以外の場所からの光漏れを抑制することができ、かつ、所望の場所つまり意匠部１１０から光を出射させることができる。
【００７１】
また、本実施の形態に係る表示装置１において、光源２０が本体１０の内部に配置されるため、例えば本体１０の側面に光源２０を配置したり本体１０の裏面１０ｂ側に配置したりする場合に比べて、表示装置１の大型化を抑制することができる。
【００７２】
（実施の形態の変形例１）
実施の形態の変形例１の表示装置２００の構成を、図８及び図９を用いて説明する。
【００７３】
図８は、実施の形態の変形例１に係る表示装置２００を例示した斜視図である。図９は、実施の形態の変形例１に係る表示装置２００における操作部２０３の凹部１２０を例示した部分拡大斜視図である。
【００７４】
本変形例における他の構成は、特に明記しない場合は、実施の形態と同様であり、同一の構成については同一の符号を付して構成に関する詳細な説明を省略する。
【００７５】
図８に例示する表示装置２００の操作部２０３はＺ軸方向に長尺である。図９に示すように、本変形例では、操作部２０３の凹部１２０のＸ軸マイナス方向側にも第２反射部３２が配置されている。具体的には、１つの凹部１２０には、複数の光源対２０ｔが配置されている。隣り合う２つの光源対２０ｔのうち、一方側の光源対２０ｔと他方側の光源対２０ｔとの間には、第２反射部３２が配置されている。図９で示すように、ここで１つの光源対２０ｔのうち一方の光源２０を第１光源２０ａとし、他方の光源２０を第２光源２０ｂとすると、第２反射部３２は、凹部１２０を跨ぐように、第１光源２０ａ側から第２光源２０ｂ側に至るまで延在している。第２反射部３２の長手方向（Ｙ軸方向）における長さは、第１光源２０ａから第２光源２０ｂまでの長さよりも長い。
【００７６】
本変形例において、凹部１２０の意匠部１１０から出射する光について説明する。
【００７７】
例えば、一方側の光源対２０ｔに対応する凹部１２０の意匠部１１０の領域を第１の領域Ｒ１１とし、他方側の光源対２０ｔに対応する凹部１２０の意匠部１１０の領域を第２の領域Ｒ１２とする。第１の領域Ｒ１１と第２の領域Ｒ１２とは隣接している。この場合、一方側の光源対２０ｔが出射した光は、第１の領域Ｒ１１から出射される。一方側の光源対２０ｔが出射した光は、第２反射部３２によって反射されるため、第２の領域Ｒ１２から出射され難い。また、他方側の光源対２０ｔが出射した光は、第２の領域Ｒ１２から出射される。他方側の光源対２０ｔが出射した光は、第２反射部３２によって反射されるため、第１の領域Ｒ１１から出射され難い。
【００７８】
このように、第２反射部３２は、一方側の光源対２０ｔと他方側の光源対２０ｔとの間に配置されるため、一方側の光源対２０ｔが発する光が出射する意匠部１１０のうちの第１の領域Ｒ１１と、他方側の光源対２０ｔが発する光が出射する意匠部１１０のうちの第２の領域Ｒ１２のように照らし分けることができる。
【００７９】
（実施の形態の変形例２）
実施の形態の変形例２の表示装置の構成を、図１０Ａ及び図１０Ｂを用いて説明する。
【００８０】
図１０Ａは、実施の形態の変形例２に係る表示装置の凹状のドット１２２ａを例示した部分拡大斜視図である。図１０Ｂは、実施の形態の変形例２に係る表示装置の凸状のドット１２２ｂを例示した部分拡大斜視図である。
【００８１】
本変形例における他の構成は、特に明記しない場合は、実施の形態と同様であり、同一の構成については同一の符号を付して構成に関する詳細な説明を省略する。
【００８２】
本変形例では、図１０Ａに示すように、凹部１２０の傾斜面１２２には、凹状のドット１２２ａが複数形成される。また、図１０Ｂに示すように、凹部１２０の傾斜面１２２には、凸状のドット１２２ｂが複数形成される。凹状のドット１２２ａ又は凸状のドット１２２ｂは、円錐状、円錐台状、角錐状、角錐台状等である。このようなドット１２２ａは、例えば、本体１０を用意した後に、ダイヤモンドバイト等の工具で削ることで形成してもよく、レーザを打ち込むことで形成してもよい。
【００８３】
本変形例に係る表示装置において、傾斜面１２２には、凹状又は凸状のドット１２２ａが施されているため、傾斜面１２２に入射した光は、第１反射部３１に向かって反射し易くなる。つまり、傾斜面１２２にドット１２２ａが形成されていない場合に比べて、傾斜面１２２のドット１２２ａは、光源２０側に向けて反射させる光の量を減らすことができる。このため、迷光、又は、吸収される光の量を減らすことで、意匠部１１０から出射する光の光量が低減することを抑制できる。
【００８４】
（その他）
以上、本開示について、実施の形態及び実施の形態の変形例１、２に基づいて説明したが、本開示は、上記表示装置に限定されるものではない。
【００８５】
例えば、上記各実施の形態及び実施の形態の変形例１、２に係る表示装置は、光源、制御回路、第２反射部等を第１反射部の表面に配置した部材を、用意された金型に収容し、樹脂材料を用いた射出成形によって本体を形成することで得ることができる。また、予め、射出成形によって本体だけを製造しておき、光源、制御回路、第２反射部等を第１反射部の表面に配置した部材を嵌め合わせることで、表示装置を得てもよい。
【００８６】
また、上記各実施の形態及び実施の形態の変形例１、２に係る表示装置において、光源が出射する光の方向の反対側には、凹部に向けて光を戻すための光反射体が配置されていてもよい。具体的には、図９の第１光源２０ａのＹ軸プラス方向側及び第２光源２０ｂのＹ軸マイナス方向側にそれぞれ光反射体を配置してもよい。
【００８７】
また、上記各実施の形態及び実施の形態の変形例１、２に係る表示装置において、意匠部を透過する光によって意匠部の模様を浮かび上がらせているが、例えば第１反射部の表面（Ｘ軸プラス方向側の面）であり、かつ、表示部を表面から見て凹部と重なる位置に意匠部の模様となる加飾部、又は、マスク体等を積層してもよい。
【００８８】
また、上記各実施の形態及び実施の形態の変形例１、２に係る表示装置において、凹部の傾斜面には第３反射部が積層されているが、傾斜面には第３反射部が積層されていなくてもよい。
【００８９】
また、上記各実施の形態の変形例２に係る図９の表示装置において、本体のＸ軸マイナス方向側には、第２反射部２３２が配置されているが、表示装置の表面から見た場合に、凹部１２０又は凹部１２０の底面１２１と重なる部分には第２反射部２３２の一部分が無くてもよい。
【００９０】
また、上記各実施の形態及び実施の形態の変形例１、２に係る表示装置は、電池等から電力が給電されてもよく、例えば車両の電源から電力が供給されてもよく、商業用電力から電力が供給されてもよい。
【００９１】
以上、本開示の一つ又は複数の態様に係る表示装置について、実施の形態及び実施の形態の変形例１、２に基づいて説明したが、本開示は、この実施の形態及び実施の形態の変形例１、２に限定されるものではない。本開示の趣旨を逸脱しない限り、当業者が思いつく各種変形を本実施の形態及び実施の形態の変形例１、２に施したものや、異なる実施の形態における構成要素を組み合わせて構築される形態も、本開示の一つ又は複数の態様の範囲内に含まれてもよい。
【産業上の利用可能性】
【００９２】
本開示は、表示装置の意匠部から輝度の高い光を出射することができる表示装置等として有用である。
【符号の説明】
【００９３】
１、２００  表示装置
１０  本体
１０ａ  表面
１０ｂ  裏面
２０、２０ａ、２０ｂ  光源
２０ｔ  光源対
３１  第１反射部
３２、２３２  第２反射部
１１０  意匠部
１１３  第３反射部（遮光部）
１２０  凹部
１２２  傾斜面
１２２ａ、１２２ｂ  ドット
【図１】
2020060614.tif 000003
【図２】
2020060614.tif 000004
【図３】
2020060614.tif 000005
【図４】
2020060614.tif 000006
【図５】
2020060614.tif 000007
【図６】
2020060614.tif 000008
【図７】
2020060614.tif 000009
【図８】
2020060614.tif 000010
【図９】
2020060614.tif 000011
【図１０Ａ】
2020060614.tif 000012
【図１０Ｂ】
2020060614.tif 000013